(57)【要約】【課題】袋体を膨らませた状態で梱包できる商品の梱包方法及び商品を梱包する袋体を提供する。【解決手段】本発明の商品の梱包方法は、ガスバリア性フィルムからなり、対向する一対の面部を有し、商品の出し入れ口となる１辺が開口され他の辺が接合された本体部と、出し入れ口を開閉するファスナー部と、からなる袋体を用いた商品の梱包方法であって、出し入れ口が開口するように一対の面を引き離して本体部の全体を膨らませ、商品を出し入れ口から袋体に挿入する段階と、ファスナー部の空気を商品が収納されている方向に押し込む段階と、商品収納部分を膨らませた状態で、ファスナー部を嵌合して出し入れ口を閉鎖する第３段階と、ファスナー部を商品収納部分の外側に折り重ねる段階と、折り重ねた部分を商品収納部分に接合する段階と、を備える。【選択図】図１
2015085951.tif 000002
【特許請求の範囲】
【請求項１】
ガスバリア性フィルムからなり、対向する一対の面部を有し、商品の出し入れ口となる１辺が開口され他の辺が接合された本体部と、前記出し入れ口を開閉するファスナー部と、からなる袋体を用いた商品の梱包方法であって、
前記出し入れ口が開口するように前記一対の面を引き離して前記本体部の全体を膨らませ、商品を前記出し入れ口から前記袋体に挿入する第１段階と、
前記ファスナー部の空気を商品が収納されている方向に押し込む第２段階と、
商品収納部分を膨らませた状態で、前記ファスナー部を嵌合して前記出し入れ口を閉鎖する第３段階と、
前記ファスナー部を前記商品収納部分の外側に折り重ねる第４段階と、
折り重ねた部分を前記商品収納部分に接合する第５段階と、を備えることを特徴とする商品の梱包方法。
【請求項２】
前記第１段階では、前記袋体に挿入される商品に嵩上げ部材が装着されることを特徴とする請求項１に記載の商品の梱包方法。
【請求項３】
前記第５段階では、折り重ねた部分の左右両端に挟み込みシールを貼り付けることを特徴とする請求項１に記載の商品の梱包方法。
【請求項４】
ガスバリア性フィルムからなり、対向する一対の面部を有し、商品の出し入れ口となる１辺が開口され他の辺が接合された本体部と、前記出し入れ口を開閉するファスナー部と、前記面部の一方に設けられ、接着剤が塗布され、前記ファスナー部と並行して幅方向全長に延びる接着帯と、前記接着帯を覆うと共に、はがして前記接着帯を露出させるシート片と、が備えられることを特徴とする商品を梱包する袋体。
【発明の詳細な説明】
【技術分野】
【０００１】
本発明は、商品の梱包方法及び商品を梱包する袋体に係り、より詳しくは、袋体で商品を梱包し、空気で膨らませた状態を維持して商品を保護するようにした商品の梱包方法及び商品を梱包する袋体に関する。
【背景技術】
【０００２】
帽子などの衣料品をインターネットで注文を受け発送する場合、箱に梱包せず、透明な袋体に挿入して発送する場合が増えてきた。しかしながら、単に袋詰めされているだけで、袋体の空気が十分にクッションとして機能していない。
【０００３】
特許文献１には、ダンボール箱の封函方法が示される。段ボール箱の入り口は最後にテープ止めされる。このような梱包は、帽子などの衣料品を梱包するには大掛りすぎる。
【０００４】
特許文献２には、医薬品の梱包に使用するノズル付きの袋体が示される。この袋体は二重構造で、空気入れを使用しノズルの箇所から空気を注入する。内側と外側の間に空気が入ると、内側の袋体が内側に膨らんで商品を抑えるとともに、外側の袋体が外側に膨らんでクッションになる。しかしながらこのような袋体を種々の衣料品に適用するには、種類も増え構造が複雑である。
【０００５】
特許文献３には、ファスナー付きの袋体が示される。ファスナー部にはスライダーが設けられる。スライダーでファスナーを開閉できる。このような袋体に衣料品を入れても、内部の空気がファスナーを閉じる際に逃げてしまい、一定の空気が袋体に残るものの膨らんでいない状態となる。そのため内部の空気がクッションの役目をしない。
【先行技術文献】
【特許文献】
【０００６】
【特許文献１】特開平７−１５６９０６号公報
【特許文献２】特開２０１０−８９８０８号公報
【特許文献３】登録新案登録第３０７７１３１号
【発明の概要】
【発明が解決しようとする課題】
【０００７】
本発明の目的は、袋体を膨らませた状態で梱包できる商品の梱包方法及び商品を梱包する袋体を提供することにある。
【課題を解決するための手段】
【０００８】
本発明による商品の梱包方法は、ガスバリア性フィルムからなり、対向する一対の面部を有し、商品の出し入れ口となる１辺が開口され他の辺が接合された本体部と、前記出し入れ口を開閉するファスナー部と、からなる袋体を用いた商品の梱包方法であって、前記出し入れ口が開口するように前記一対の面を引き離して前記本体部の全体を膨らませ、商品を前記出し入れ口から前記袋体に挿入する第１段階と、前記ファスナー部の空気を商品が収納されている方向に押し込む第２段階と、商品収納部分を膨らませた状態で、前記ファスナー部を嵌合して前記出し入れ口を閉じる第３段階と、前記ファスナー部を商品収納部分の外側に折り重ねる第４段階と、折り重ねた部分を前記商品収納部分に接合する第５段階と、が備えられることを特徴とする。
【０００９】
前記第１段階では、前記袋体に挿入される商品に嵩上げ部材が装着されることを特徴とする。
【００１０】
前記第５段階では、折り重ねた部分の左右両端に挟み込みシールを貼り付けることを特徴とする。
【００１１】
本発明による商品を梱包する袋体は、ガスバリア性フィルムからなり、対向する一対の面部を有し、商品の出し入れ口となる１辺が開口され他の辺が接合された本体部と、前記出し入れ口を開閉するファスナー部と、前記面部の一方に設けられ、接着剤が塗布され、前記ファスナー部と並行して幅方向全長に延びる接着帯と、前記接着帯を覆うと共に、はがして前記接着帯を露出させるシート片と、が備えられることを特徴とする。
【発明の効果】
【００１２】
本発明による商品の梱包方法によれば、（１）出し入れ口が開口するように一対の面を引き離して本体部の全体を膨らませ、商品を出し入れ口から袋体に挿入する第１段階を設けたので、袋体の内部に商品と共に空気を多く取り込むことができる。（２）また、ファスナー部の空気を商品が収納されている方向に押し込む第２段階を設けたので、ファスナー部の空気を袋体の商品収納部分に押し込んで膨らませることができ、クッション性を持たせることができる。（３）さらに、商品収納部分を膨らませた状態で、ファスナー部を嵌合して前記出し入れ口を閉じる第３段階と、ファスナー部を商品収納部分の外側に折り重ねる第４段階と、折り重ねた部分を商品収納部分に接合する第５段階と、を設けたので、商品収納部分に押し込んだ空気がファスナー部に戻ることがなく、商品収納部分を膨らませた状態に維持することができる。
【００１３】
袋体に挿入される商品に、嵩上げ部材を装着したので、腰が弱く高さが得られないような商品でも、嵩を増やして袋体に多くの空気を取り込むことができる。
【００１４】
折り重ね部の左右両端にも上下に挟み込むようにシールを貼り付けたので、折り重ね部の左右両端の浮きあがりが防止でき、商品収納部分に押し込んだ空気をファスナー部に戻りにくくできる。また、袋体の不正な開封を防止できるとの効果もある。
【００１５】
本発明による商品を梱包する袋体は、対向する一対の面部を有し、商品の出し入れ口となる１辺が開口され他の辺が接合された本体部と、出し入れ口を開閉するファスナー部と、面部の一方に設けられ、接着剤が塗布され、ファスナー部と並行して幅方向全長に延びる接着帯と、接着帯を覆うと共に、はがして接着帯を露出させるシート片と、を設けたので、袋体に商品を挿入し、ファスナー部を閉じて商品収納部分の外側に折り重ね、折り重ね部の長手方向縁端を商品収納部分に接合する際、テープ止め治具で外側から軟らかい袋体の表面にテーピングする必要がなく、押し付けるだけで簡単に接合できる。
【図面の簡単な説明】
【００１６】
【図１】本発明による商品の梱包方法を示すフローチャートである。
【図２】本発明による商品の梱包状態を示す。（Ａ）は斜め上方から見た斜視図である。（Ｂ）は底面側から見た斜視図である。
【図３】袋体の表面側から見た斜視図である。
【図４】袋体の裏面側から見た斜視図である。
【図５】商品の梱包状方法を示す工程図である。段階（Ａ）〜（Ｄ）である。
【図６】商品の梱包状方法を示す工程図である。段階（Ｅ）〜（Ｈ）である。
【図７】商品の梱包状方法を示す工程図である。段階（Ｉ）〜（Ｌ）である。
【発明を実施するための形態】
【００１７】
以下、図面を参照して、本発明による商品の梱包方法を詳しく説明する。
【実施例】
【００１８】
図１は、本発明による商品の梱包方法を示すフローチャートである。段階Ｓ１は、袋体の出し入れ口を開口し、袋体の一対の面部を引き離して全体を膨らませ、商品を挿入する段階である。段階Ｓ２は、ファスナー部側の空気を商品が収納されている方向に押し込む段階である。段階Ｓ３は、ファスナー部を嵌合する段階である。段階Ｓ４は、ファスナー部を折り返して商品収納部分に折り重ねる段階である。段階Ｓ５は、折り重ねた部分を商品収納部分に接合する段階である。ファスナー部の空気を商品が収納されている方向に押し込み、ファスナー部を折り返して商品収納部分に折り重ね、折り重ねた部分を商品収納部分に接合するようにしたので、袋体の商品収納部分を膨らませた状態に維持することができる。なお、段階Ｓ３、段階Ｓ２の順とし、ファスナーをまず閉じてから、ファスナー部の空気を商品が収納されている方向に押し込んでもよい。
【００１９】
図２は、本発明による商品の梱包状態を示す。（Ａ）は斜め上方から見た斜視図である。（Ｂ）は底面側から見た斜視図である。本実施例は、ハンチング帽２を例に梱包する。図２（Ａ）に示すように、ハンチング帽２が袋体１に梱包されている。袋体１の折り重ね部５が下側に折り返され、折り重ねられており、商品収納部分６が空気で膨らんでいる。図２（Ｂ）に示すように、袋体１にはファスナー部４が設けられ、折り重ね部５は、商品収納部分６に折り重ねられ、袋体１の裏面側に設けられた接着帯３で商品収納部分６に接合されている。
【００２０】
図３は、袋体１の表面側から見た斜視図である。袋体１は、透明で、ガスバリア性フィルムからなる本体部１ａと、出し入れ口７を開閉するファスナー部４からなる。ファスナー部４には凸条体１０と凹条体１１が設けられ、これらが嵌合すると出し入れ口７が閉じた状態になり、凸条体１０と凹条体１１が離されると、出し入れ口７が開いた状態になる。袋体１は、一対の面部８、９が対向しており、出し入れ口７となる一辺が開口され、他の辺は接合されている。袋体１は、塩化ビニルデンを含むプラスチックフィルムなので酸素や水蒸気を遮断できる。
【００２１】
図４は、袋体１の裏面側から見た斜視図である。袋体１の裏面には、接着剤が塗布され、ファスナー部４と並行して幅方向の全長に延びる灰色で示す接着帯３が設けられる。より詳細には、接着帯３には、これを覆い、はがして接着帯３を露出させるシート片２１が設けられる。シート片２１は、透明で袋体１と区別がつきにくいため、色付きの表示線２１ａを刷り込んでいる。シート片２１には、はがしやすくするため、接着帯３に沿ってはがし代を設けた。
【００２２】
図５〜７は、商品の梱包状方法を示す工程図である。図１の段階Ｓ１〜Ｓ５と図５〜７の段階（Ａ）〜（Ｌ）は、１対１に対応するものではなく、段階（Ａ）〜（Ｌ）は、Ｓ１〜Ｓ５より細かい操作となっている。
【００２３】
図５は、商品の梱包状方法を示す工程図で、段階（Ａ）〜（Ｄ）である。段階（Ａ）では、袋体１が操作台１２にファスナー部４を開いた状態でセットされ、出し入れ口７が開かれた状態にある。袋体１は、クリップ１３で出し入れ口７の下面が挟み込まれ、操作台１２に留め置かれている。段階（Ｂ）では、押し拡げ棒１４が袋体１に挿入され、出し入れ口が大きく開口されると共に、一方の面部８と他方の面部９が引き離なされ、本体部１ａの全体を膨らませる。
【００２４】
段階（Ｃ）では、ハンチング帽２が袋体１に開かれた出し入れ口７から挿入される。ハンチング帽２の生地が軟らかくてフラットになりやすい場合は、嵩上げ部材１５を装着して袋体１に挿入する。これによって袋体１の内部に空気を多く確保できる。段階（Ｄ）では、押し拡げ棒１４が袋体１から引き抜かれる。
【００２５】
図６は、商品の梱包状方法を示す工程図で、段階（Ｅ）〜（Ｈ）である。段階（Ｅ）では、袋体１から押し拡げ棒１４が引き抜かれるので、袋体１の面部８は、ハンチング帽２の高さまで下がり、出し入れ口７も下降して狭くなる。段階（Ｆ）では、空気寄せロール１９が出し入れ口７を塞ぐように降下し、段階（Ｇ）では、空気寄せロール１９が、操作台１２に押し付けられて回転し、ハンチング帽２の収納方向に進み、ファスナー部４の空気を商品収納部分６に押し出す。ここで、ファスナー部４の空気とは、ファスナー部４を含む袋体内部の出し入れ口側の空気を指すものとする。これによって、商品収納部分６を空気で膨らませたよりクッション性のよい状態にできる。また、シート片２１を引きはがして、接着帯３を露出させておく。段階（Ｈ）では、スライダー１６をファスナー部４の一端にセットしてスライドさせ、凸条体１０と凹条体１１を嵌合して出し入れ口７を閉鎖する。その場合、固定クリップがスライダー１６の走行に邪魔になるので袋体１から離しておく。
【００２６】
図７は、商品の梱包状方法を示す工程図で、段階（Ｉ）〜（Ｌ）である。段階（Ｉ）では、操作台１２の右端を下げ、袋体１の出し入れ口７を突き出し状態とする。そして出し入れ口７が幅を広げたクリップ１３で挟み込まれる。段階（Ｊ）では、クリップ１３が回動して折り返され、折り重ね部５が形成される。折り重ね部５は、商品収納部分６に折り重ねられる。そして接着帯３で、商品収納部分６に接合される。接着帯３の接着剤は、手で引き離せる程度の弱い接着力のものでよい。接合された状態を段階（Ｋ）に示す。折り重ね部５を形成したので、商品収納部分６の空気がファスナー部４に戻れないようにできる。段階（Ｌ）は、商品の梱包状態を斜め上方から見た斜視図である。ここでは、折り重ね部５の左右両端に、挟み込みシール１８を貼り付けるようにした。
【産業上の利用可能性】
【００２７】
本発明は、袋体を膨らませた状態で商品の梱包ができる梱包方法として好適である。なお、本実施例では、袋体１は三辺の側面に幅のないものを使用したが、折り畳み可能な幅のあるものを使用してもよい。また、梱包する商品はハンチング帽としたが、梱包によるシワや折り痕が付きやすい商品の保護に適している。
【符号の説明】
【００２８】
１    袋体
１ａ    本体部
２    ハンチング帽
３    接着帯
４    ファスナー部
５    折り重ね部
６    商品収納部分
７    出し入れ口
８、９    面部
１０    凸条体
１１    凹条体
１２    操作台
１３    クリップ
１４    押し拡げ棒
１５    嵩上げ部材
１６    スライダー
１８    挟み込みシール
１９    空気寄せロール
２１    シート片
２１ａ    表示線
Ｓ１〜Ｓ５    商品を梱包する各段階を示す。
【図１】
2015085951.tif 000003
【図２】
2015085951.tif 000004
【図３】
2015085951.tif 000005
【図４】
2015085951.tif 000006
【図５】
2015085951.tif 000007
【図６】
2015085951.tif 000008
【図７】
2015085951.tif 000009